(57)【特許請求の範囲】
【請求項１】
車体開口部を開閉可能な開閉体の内板を構成するドアインナパネルと、
前記開閉体の外板を構成すると共に前記ドアインナパネルとの間に内部空間を形成するドアアウタパネルと、
前記ドアインナパネルの下縁部と前記ドアアウタパネルの下縁部とを接合する下縁接着部と、
前記ドアインナパネルの下部及び前記ドアアウタパネルの下部の少なくとも一方において前記内部空間に開口部を臨ませた水抜き孔が貫通形成されることによりドア断面内方とドア断面外方とが連通された水抜き部と、
前記水抜き孔のドア幅方向の全長を含むドア幅方向位置に設けられて前記ドアインナパネルの下部及び前記ドアアウタパネルの下部の少なくとも一方の側から他方の側へ向けて突出すると共に、前記下縁接着部の上端と前記水抜き孔のドア断面内方側の開口部との間の空間で前記下縁接着部の上端に対してドア上下方向の上方側に隣接した突出部と、
を有し、
前記ドアインナパネルの下部及び前記ドアアウタパネルの下部の少なくとも一方には、
ドア上下方向の上方へ向けてドア厚さ方向外側に傾斜すると共にドア幅方向に沿って延在する第一傾斜部と、
前記第一傾斜部の下端から延設されてドア厚さ方向内側へ向けてドア上下方向の上方側に傾斜すると共にドア幅方向に沿って延在する第二傾斜部と、
が形成されると共に、前記水抜き孔が、前記第一傾斜部の下端部と前記第二傾斜部の下端部とを含む部位を貫通することによって形成されている、車両用開閉体構造。
【請求項２】
前記突出部の少なくとも一部は、前記水抜き孔のドア断面内方側の開口部周縁のうちで前記下縁接着部の上端側に位置する部位から突出されており、
前記突出部のドア幅方向における両端部は、その上向き面が前記第二傾斜部の上向き面よりもドア上下方向において低い位置に設けられて前記第二傾斜部の上向き面との間に段差を形成している、請求項１記載の車両用開閉体構造。
【発明の詳細な説明】
【技術分野】
【０００１】
本発明は、車両用開閉体構造に関する。
【背景技術】
【０００２】
車両用開閉体の一例であるバックドアにおいては、各々樹脂製とされたドアインナパネルの周縁部とドアアウタパネルの周縁部とを接着剤で接合することにより構成された構造が知られている（例えば、特許文献１参照）。このようなバックドアの構造では、ドア内部に侵入した水を車外へ排出するために、ドアインナパネルの下縁側に水抜き孔が形成されている。
【先行技術文献】
【特許文献】
【０００３】
【特許文献１】特開２００６−２９８３２９公報
【発明の概要】
【発明が解決しようとする課題】
【０００４】
しかしながら、この構造では、水抜き孔が接着剤の近傍に形成されているので、水抜き孔内に接着剤が侵入する可能性がある。そして、水抜き孔内に接着剤が侵入すると、水抜き孔が接着剤で塞がれてしまう恐れがある。
【０００５】
本発明は、上記事実を考慮して、水抜き孔が接着剤で塞がれてしまうのを防止又は抑制することができる車両用開閉体構造を得ることが目的である。
【課題を解決するための手段】
【０００６】
請求項１に記載する本発明の車両用開閉体構造は、車体開口部を開閉可能な開閉体の内板を構成するドアインナパネルと、前記開閉体の外板を構成すると共に前記ドアインナパネルとの間に内部空間を形成するドアアウタパネルと、前記ドアインナパネルの下縁部と前記ドアアウタパネルの下縁部とを接合する下縁接着部と、前記ドアインナパネルの下部及び前記ドアアウタパネルの下部の少なくとも一方において前記内部空間に開口部を臨ませた水抜き孔が貫通形成されることによりドア断面内方とドア断面外方とが連通された水抜き部と、前記水抜き孔のドア幅方向の全長を含むドア幅方向位置に設けられて前記ドアインナパネルの下部及び前記ドアアウタパネルの下部の少なくとも一方の側から他方の側へ向けて突出すると共に、前記下縁接着部の上端と前記水抜き孔のドア断面内方側の開口部との間の空間で前記下縁接着部の上端に対してドア上下方向の上方側に隣接した突出部と、を有し、前記ドアインナパネルの下部及び前記ドアアウタパネルの下部の少なくとも一方には、ドア上下方向の上方へ向けてドア厚さ方向外側に傾斜すると共にドア幅方向に沿って延在する第一傾斜部と、前記第一傾斜部の下端から延設されてドア厚さ方向内側へ向けてドア上下方向の上方側に傾斜すると共にドア幅方向に沿って延在する第二傾斜部と、が形成されると共に、前記水抜き孔が、前記第一傾斜部の下端部と前記第二傾斜部の下端部とを含む部位を貫通することによって形成されている。
【０００７】
請求項１に記載する本発明の車両用開閉体構造によれば、ドアインナパネルの下部及びドアアウタパネルの下部の少なくとも一方には水抜き部が設けられており、水抜き部では、内部空間に開口部を臨ませた水抜き孔が貫通形成されることによりドア断面内方とドア断面外方とが連通されている。このため、ドア断面内に浸入した水は水抜き孔からドア断面外方へ排出される。
【０００８】
ここで、水抜き孔のドア幅方向の全長を含むドア幅方向位置には、ドアインナパネルの下部及びドアアウタパネルの下部の少なくとも一方の側から他方の側へ向けて突出する突出部が設けられ、この突出部は、下縁接着部の上端と水抜き孔のドア断面内方側の開口部との間の空間で下縁接着部の上端に対してドア上下方向の上方側に隣接している。このため、ドア断面内の水が自重で流れた場合、水抜き孔の近傍にて下縁接着部に到達する水の量が突出部によって抑えられ、下縁接着部の接着剤が水と共に水抜き孔へ流れ出す量も抑えられる。
また、この車両用開閉体構造によれば、ドアインナパネルの下部及びドアアウタパネルの下部の少なくとも一方には第一傾斜部と第二傾斜部とが形成されている。そして、第一傾斜部は、ドア上下方向の上方へ向けてドア厚さ方向外側に傾斜すると共にドア幅方向に沿って延在し、第二傾斜部は、第一傾斜部の下端から延設されてドア厚さ方向内側へ向けてドア上下方向の上方側に傾斜すると共にドア幅方向に沿って延在している。このため、ドア断面内の水が自重で流れた場合、その水は第一傾斜部と第二傾斜部との境界角部を伝う。ここで、水抜き孔は、第一傾斜部の下端部と第二傾斜部の下端部とを含む部位を貫通することによって形成されているので、第一傾斜部と第二傾斜部との境界角部を伝う水は水抜き孔からドア断面外方へ排出される。このため、境界角部を伝う水は基本的には下縁接着部に到達する前に水抜き孔から排出される。これにより、下縁接着部の接着剤が水と共に水抜き孔へ流れ出す量が一層効果的に抑えられる。
【０００９】
請求項２に記載する本発明の車両用開閉体構造は、請求項１記載の構成において、前記突出部の少なくとも一部は、前記水抜き孔のドア断面内方側の開口部周縁のうちで前記下縁接着部の上端側に位置する部位から突出されており、前記突出部のドア幅方向における両端部は、その上向き面が前記第二傾斜部の上向き面よりもドア上下方向において低い位置に設けられて前記第二傾斜部の上向き面との間に段差を形成している。
【００１０】
請求項２に記載する本発明の車両用開閉体構造によれば、突出部の少なくとも一部は、水抜き孔のドア断面内方側の開口部周縁のうちで下縁接着部の上端側に位置する部位から突出されているので、下縁接着部の接着剤は突出部を迂回するようにして流動しない限り、水抜き孔に流れ込まない。
【発明の効果】
【００１３】
以上説明したように、本発明に係る請求項１に記載の車両用開閉体構造によれば、水抜き孔が接着剤で塞がれてしまうのを防止又は抑制することができるという優れた効果を有する。
【００１４】
請求項２に記載の車両用開閉体構造によれば、接着剤の水抜き孔への流入を効果的に抑えることができるという優れた効果を有する。
【００１５】
請求項３に記載の車両用開閉体構造によれば、下縁接着部への水の到達を抑えることによって、下縁接着部の接着剤が水と共に水抜き孔へ流れ出す量を一層効果的に抑えることができるという優れた効果を有する。
【図面の簡単な説明】
【００１６】
【図１】本発明の第１の実施形態に係る車両用開閉体構造が適用されたバックドアを含む車両後部を示す斜視図である。
【図２】本発明の第１の実施形態に係る車両用開閉体構造が適用されたバックドアのドアインナパネルを車両後方斜め側方から見た状態で示す斜視図である。
【図３】本発明の第１の実施形態に係る車両用開閉体構造が適用されたバックドアの水抜き部及びその周囲部を示す縦断面図である。ドアインナパネルは、図２の３−３線に沿った拡大断面図（図４の３−３線に沿った縮小断面図）に相当する。
【図４】本発明の第１の実施形態に係る車両用開閉体構造が適用されたバックドアの水抜き部及びその周囲部を示す斜視図である。
【図５】本発明の第２の実施形態に係る車両用開閉体構造が適用されたバックドアの水抜き部及びその周囲部を示す縦断面図である。
【発明を実施するための形態】
【００１７】
［第１実施形態］
本発明の第１の実施形態に係る車両用開閉体構造について図１〜図４を用いて説明する。なお、これらの図において適宜示される矢印ＦＲは車両前方側を示しており、矢印ＵＰは車両上方側を示しており、矢印Ｗは車両幅方向を示している。また、バックドア１４のドア幅方向（ドア左右方向）は車両幅方向と同じ方向になっている。
【００１８】
図１には、車両後部が斜視図にて示されている。図１に示されるように、車両１０の後端部には、車両前後方向の後向きに開口する車体開口部としてのバックドア開口部１２（「リヤゲート」ともいう。）が形成され、バックドア開口部１２の下縁側にはリヤバンパ３２が配設されている。バックドア開口部１２は、上縁部に設けられた図示しないドアヒンジ回りに回転移動可能な車両用開閉体としてのバックドア１４によって開閉可能とされている。
【００１９】
バックドア１４は、車室内側に配置されてドア内板を構成する樹脂製のドアインナパネル１６（図２参照）と、このドアインナパネル１６の車室外側に配置されると共にドア外板を構成する樹脂製のドアアウタパネル２０と、を備えている。すなわち、本実施形態に係るバックドア１４は軽量化に有利な樹脂製のバックドアとされている。
【００２０】
ドアアウタパネル２０にはバックドア１４の上部に配置されるバックドアウインドガラス２２が取り付けられている。ドアアウタパネル２０とバックドアウインドガラス２２とを含んでアウタユニット１８が構成されている。
【００２１】
図２には、バックドア１４のドアインナパネル１６が車両後方側斜め側方から見た状態の斜視図にて示されている。なお、図２では、アウタユニット１８の外形を二点鎖線で図示している。図２に示されるように、ドアインナパネル１６は、ドアインナパネル１６の外周端部側を除く部分を構成して複数の開口部が形成された本体部１６Ａを備えている。本体部１６Ａには、複数のビード及びリブが形成されているが、その図示及び説明は省略する。この本体部１６Ａの周縁部からはアウタユニット１８側へ向けて立ち上げられた側壁部１６Ｂが形成されている。
【００２２】
また、ドアインナパネル１６において、側壁部１６Ｂのアウタユニット１８側には、バックドア１４の周縁部を構成する接合フランジ部１６Ｅが形成されている。なお、ドアインナパネル１６の下部に側壁部１６Ｂと接合フランジ部１６Ｅと繋ぐ第一傾斜部１６Ｃ及び第二傾斜部１６Ｄ（図４参照）が形成されているが、この点については、詳細後述する。
【００２３】
接合フランジ部１６Ｅの表面は接着剤２６の塗布面となっており、接合フランジ部１６Ｅの周縁部からはアウタユニット１８側へ向けて立ち上げられた端末部１６Ｆ（図３参照）が形成されている。これに対して、ドアアウタパネル２０の周縁部には、ドア前方側へ曲げられてドアインナパネル１６の端末部１６Ｆ（図３参照）の外周側に配置された端末部２０Ａ（図３参照）が形成されている。
【００２４】
ドアインナパネル１６の周縁部である接合フランジ部１６Ｅと、アウタユニット１８の周縁部とは接着剤２６によって接合されている。すなわち、接着剤２６が接合フランジ部１６Ｅの表面に塗布された状態でアウタユニット１８の周縁部が接合フランジ部１６Ｅに圧着されることにより、両者は接合されている。また、ドアインナパネル１６とドアアウタパネル２０との接合により、ドアインナパネル１６とドアアウタパネル２０との間には内部空間Ｓ（図３参照）が形成されている。なお、以下の説明においては、接着剤２６の一部であって、ドアインナパネル１６の下縁部とドアアウタパネル２０の下縁部とを接合する部分を下縁接着部２６Ａという。
【００２５】
ドアインナパネル１６の下部の所定位置（本実施形態では図２の符号Ａで示す位置）には水抜き部２４（図３参照）が形成されている。本実施形態では、この水抜き部２４及びその周囲部の構造に特徴があるため、以下、これらについて詳細に説明することにする。
【００２６】
図３には、水抜き部２４及びその周囲部が縦断面図にて示され、図４には、水抜き部２４及びその周囲部が斜視図にて示されている。なお、図３のドアインナパネル１６は、図２の３−３線に沿った拡大断面図で、かつ、図４の３−３線に沿った縮小断面図に相当する。
【００２７】
図３及び図４に示される水抜き部２４では、ドアインナパネル１６の下部において内部空間Ｓ（図３参照）に開口部を臨ませた水抜き孔２４Ａ（水抜き穴）が貫通形成されることによりドア断面内方（内部空間Ｓ）とドア断面外方とが連通されている。本実施形態では、水抜き孔２４Ａは、下縁接着部２６Ａの上端よりも上方側の高さ位置に設定されている。
【００２８】
また、水抜き部２４が設けられたドアインナパネル１６の下部には、接合フランジ部１６Ｅに対して上方側かつ車両前方側（ドア厚さ方向外側）に段違いかつ傾斜状に設けられた第一傾斜部１６Ｃが形成されている。第一傾斜部１６Ｃは、ドア上下方向の上方へ向けて車両前方側（ドア厚さ方向外側（図３参照））に傾斜している。図３に示されるように、第一傾斜部１６Ｃの上端は、側壁部１６Ｂにおける本体部１６Ａ（図２参照）とは反対側の端部位置まで延びている。また、図３及び図４に示されるように、第一傾斜部１６Ｃの下端からは、第一傾斜部１６Ｃの下端と接合フランジ部１６Ｅの上端とを繋ぐ第二傾斜部１６Ｄが延設されている。第二傾斜部１６Ｄは、車両後方側（ドア厚さ方向内側（図３参照））へ向けてドア上下方向の上方側に若干傾斜しており、本実施形態では、側断面視の長さが接合フランジ部１６Ｅと比べて非常に短く設定されている。また、図４に示されるように、第一傾斜部１６Ｃと第二傾斜部１６Ｄとの境界角部２８は、ドア幅方向に沿って延在している。
【００２９】
図３に示されるように、水抜き部２４の水抜き孔２４Ａは、第一傾斜部１６Ｃの下端部と第二傾斜部１６Ｄの下端部とを含む部位を貫通することによって形成されている。換言すれば、水抜き孔２４Ａは、平板部分ではなく屈曲部分を貫通することによって形成された所謂「立体孔」とされている。
【００３０】
また、ドアインナパネル１６の下部からはドアアウタパネル２０の下部側へ向けて突出部３０が突出して下縁接着部２６Ａの一部を覆っている。突出部３０は、下縁接着部２６Ａの上端と水抜き孔２４Ａのドア断面内方側の開口部との間の空間で下縁接着部２６Ａの上端に対してドア上下方向の上方側に隣接している。本実施形態では、突出部３０の一部は、水抜き孔２４Ａのドア断面内方側の開口部周縁のうちで下縁接着部２６Ａの上端側に位置する部位（開口部下縁）から突出されている。
【００３１】
図４に示されるように、突出部３０は、水抜き孔２４Ａのドア幅方向の全長を含むドア幅方向位置に設けられてドア幅方向に沿って直線状に延在している。そして、ドア後方側から見た場合、突出部３０のドア幅方向における中間部と水抜き孔２４Ａとが対応するように配置されている。また、突出部３０のドア幅方向における両端部は、その上向き面が第二傾斜部１６Ｄの上向き面との間に段差を形成している。なお、突出部３０は、ビード状の突起又はフランジ状の突起としても把握し得る構成部とされている。
【００３２】
（作用・効果）
次に、上記実施形態の作用及び効果について説明する。
【００３３】
一般に降雨時の雨水や洗車時の洗車水が図１に示されるバックドア１４の断面内に入ることがあり、また、バックドア１４の断面内に結露が生じることがある。バックドア１４の断面内に浸入した雨水や断面内で結露した水等は、バックドア１４の下部側へ伝って流下していく。そして、図３に示されるように、ドアインナパネル１６の下部には水抜き部２４が設けられており、水抜き部２４では、ドアインナパネル１６において内部空間Ｓに開口部を臨ませた水抜き孔２４Ａが貫通形成されることによりドア断面内方とドア断面外方とが連通されている。このため、ドア断面内に浸入した水は水抜き孔２４Ａからドア断面外方へ排出される。
【００３４】
ここで、本実施形態では、図４に示されるように、水抜き孔２４Ａのドア幅方向の全長を含むドア幅方向位置には、ドアインナパネル１６の下部からドアアウタパネル２０（図３参照）の下部の側へ向けて突出する突出部３０が設けられている。図３に示されるように、突出部３０は、下縁接着部２６Ａの上端と水抜き孔２４Ａのドア断面内方側の開口部との間の空間で下縁接着部２６Ａの上端に対してドア上下方向の上方側に隣接している。このため、ドア断面内の水が自重で流れた場合、水抜き孔２４Ａの近傍にて下縁接着部２６Ａに到達する水の量が突出部３０によって抑えられ、下縁接着部２６Ａの接着剤が水と共に水抜き孔２４Ａへ流れ出す量も抑えられる。
【００３５】
また、本実施形態では、突出部３０の一部は、水抜き孔２４Ａのドア断面内方側の開口部周縁のうちで下縁接着部２６Ａの上端側に位置する部位から突出されている。このため、下縁接着部２６Ａの接着剤は、突出部３０を迂回するようにして流動しない限り、水抜き孔２４Ａに流れ込まない。
【００３６】
また、本実施形態に係る車両用開閉体構造では、図３及び図４に示されるように、ドアインナパネル１６の下部に形成された第一傾斜部１６Ｃがドア上下方向の上方へ向けて車両前方側（ドア厚さ方向外側）に傾斜すると共に、第二傾斜部１６Ｄが第一傾斜部１６Ｃの下端から延設されてドア厚さ方向内側へ向けてドア上下方向の上方側に若干傾斜している。このため、図４に示されるように、ドア断面内の水が自重で流れた場合、その水は第一傾斜部１６Ｃと第二傾斜部１６Ｄとの境界角部２８を伝う（矢印Ｂ参照）。ここで、水抜き孔２４Ａは、第一傾斜部１６Ｃの下端部と第二傾斜部１６Ｄの下端部とを含む部位を貫通することによって形成されているので、第一傾斜部１６Ｃと第二傾斜部１６Ｄとの境界角部２８を伝う水は水抜き孔２４Ａからドア断面外方へ排出される。このため、境界角部２８を伝う水は基本的には下縁接着部２６Ａに到達する前に水抜き孔２４Ａから排出される。これにより、下縁接着部２６Ａの接着剤が水と共に水抜き孔２４Ａへ流れ出す量が一層効果的に抑えられる。
【００３７】
ここで、対比例と比較しながら以下補足説明する。例えば、上記実施形態の突出部３０が形成されておらず、かつドアインナパネルの下端平板部に水抜き孔が貫通形成されたような対比構造では、ドア断面内の水が下縁接着部側に流れやすくなる。このため、水抜き孔の形成位置と下縁接着部の上端位置との距離が短いと、水と共に下縁接着部の接着剤が水抜き孔へ流れ出しやすくなる。その結果として、水抜き孔が接着剤で塞がれると、水抜き機能が果たせず、溜まった水の移動に伴う発音や金属部品（例えば、ロックリインフォース）の錆び等が生じ得る。一方、接着剤の水抜き孔への流出を抑えるために、水抜き孔の形成位置を下縁接着部の上端位置からドア上下方向の上方側に大きく離した場合には、接着剤の上方側で水抜き孔の下方側に水が溜まってしまうため、水抜き性能が悪化する。この場合にも溜まった水の移動に伴う発音や金属部品の錆び等が生じ得る。
【００３８】
これに対して、本実施形態では、突出部３０によって下縁接着部２６Ａの接着剤の水抜き孔２４Ａへ流出が抑えられると共に、水抜き孔の形成位置と下縁接着部の上端位置との距離を短くすることが可能であるので、水抜き性能も確保される。
【００３９】
以上説明したように、本実施形態に係る車両用開閉体構造によれば、水抜き孔２４Ａが接着剤で塞がれてしまうのを防止又は抑制することができる。
【００４０】
［第２実施形態］
次に、本発明の第２の実施形態に係る車両用開閉体構造について、図５を用いて説明する。図５には、本発明の第２の実施形態に係る車両用開閉体構造が適用されたバックドアの下部が縦断面図（第１の実施形態の図３に相当する縦断面図）にて示されている。この図に示されるように、第２の実施形態では、突出部３４の形成位置が第１の実施形態に係る車両用開閉体構造とは異なる。他の構成は、第１の実施形態とほぼ同様の構成となっている。よって、突出部を除く構成部については、同一符号を付して説明を省略する。
【００４１】
図５に示されるように、ドアアウタパネル２０の下部からはドアインナパネル１６の下部側へ向けて突出部３４が突出して下縁接着部２６Ａの一部を覆っている。突出部３４は、下縁接着部２６Ａの上端と水抜き孔２４Ａのドア断面内方側の開口部との間の空間で下縁接着部２６Ａの上端に対してドア上下方向の上方側に隣接している。また、図示を省略するが、突出部３４は、水抜き孔２４Ａのドア幅方向の全長を含むドア幅方向位置に設けられてドア幅方向に沿って直線状に延在しており、ドア前方側から見た場合には、突出部３４のドア幅方向における中間部と水抜き孔２４Ａとが対応するように配置されている。
【００４２】
本実施形態の構成によれば、ドア断面内の水が自重で流れた場合、水抜き孔２４Ａの近傍の下縁接着部２６Ａに到達する水の量が突出部３４によって抑えられ、下縁接着部２６Ａの接着剤が水と共に水抜き孔２４Ａへ流れ出す量も抑制される。従って、水抜き孔２４Ａが接着剤で塞がれてしまうのを防止又は抑制することができる。
【００４３】
［実施形態の補足説明］
なお、第１、第２の実施形態の変形例として、例えば、第１の実施形態の突出部３０（図３、図４参照）と同様の突出部と、第２の実施形態の突出部３４（図５参照）と同様の突出部と、が互いに干渉しない突出量で並設されたような構成であってもよい。
【００４４】
また、上記実施形態の変形例として、水抜き部は、ドアアウタパネル（２０）の下部において内部空間（Ｓ）に開口部を臨ませた水抜き孔が（例えば、下縁接着部（２６Ａ）の上端よりも上方側の高さ位置に）貫通形成されることによりドア断面内方とドア断面外方とが連通された水抜き部であってもよい。また、そのような変形例に係る水抜き部と上記実施形態の水抜き部２４とが並設されたような構成であってもよい。
【００４５】
また、上記実施形態では、ドア後方側又はドア前方側から見た場合に、突出部３０、３４のドア幅方向における中間部と水抜き孔２４Ａとが対応するように配置されており、このような構成が好ましいが、例えば、突出部のドア幅方向の両端位置と水抜き孔のドア幅方向の両端位置とが揃えられた構成とすることも可能である。
【００４６】
また、上記実施形態の変形例として、水抜き孔が設けられる第一傾斜部及び第二傾斜部は、例えば、ドアアウタパネルの下部に形成されてもよい。なお、この場合、第一傾斜部はドア上下方向の上方へ向けてドア厚さ方向外側（バックドアのドアアウタパネルでは車両後方側）に傾斜し、第二傾斜部は前記第一傾斜部の下端から延設されてドア厚さ方向内側（バックドアのドアアウタパネルでは車両前方側）へ向けてドア上下方向の上方側に傾斜する構成が適用される。また、水抜き孔が設けられる第一傾斜部及び第二傾斜部は、上記実施形態の構成と前記変形例の構成とが並設されてもよい。
【００４７】
また、水抜き部の水抜き孔は、上記実施形態のように、第一傾斜部（１６Ｃ）の下端部と第二傾斜部（１６Ｄ）の下端部とを含む部位を貫通することによって形成されているのが好ましいが、本発明の実施形態ではない参考例として、平板部分に水抜き孔が貫通形成された構成とすることも可能である。
【００４８】
また、上記実施形態では、ドアインナパネル１６及びドアアウタパネル２０は、いずれも樹脂製とされているが、ドアインナパネル及びドアアウタパネルは、金属製等のような樹脂製以外のパネルであってもよい。
【００４９】
また、上記実施形態では、車両用開閉体がバックドア１４とされているが、車両用開閉体は、車体後部のラゲージドア開口部（車体開口部）を開閉可能なラゲージドア、車体側部のサイドドア開口部（車体開口部）を開閉可能なサイドドア及び車体前部の車体開口部を開閉可能でかつ車両前方へ向けて車両下方側に傾斜する形態のフード等のような他の車両用開閉体であってもよい。
【００５０】
なお、請求項１記載の「ドア幅方向」とは、開閉体を正面視した場合の左右方向であり、例えば、車両用開閉体構造が車両の背面ドア（上記実施形態のバックドア１４やラゲージドア）及び車両の前述したようなフードに適用された場合には、車両幅方向に相当し、車両の側面ドア（サイドドア）に適用された場合には、車両前後方向に相当する。
【００５１】
また、請求項１記載の「ドア厚さ方向」とは、ドアインナパネルとドアアウタパネルとが対向する方向である。
【００５２】
また、請求項１記載の「水抜き部」の規定における「前記ドアインナパネルの下部及び前記ドアアウタパネルの下部の少なくとも一方」の「一方」と、請求項１記載の「突出部」の規定における「前記ドアインナパネルの下部及び前記ドアアウタパネルの下部の少なくとも一方」の「一方」とは、第１の実施形態のように同じパネルの下部であってもよいし、第２の実施形態のように異なるパネルの下部であってもよい。
【００５３】
また、請求項１記載の「下縁接着部の上端に対してドア上下方向の上方側に隣接した」の概念には、上記実施形態のように、下縁接着部２６Ａの上端に対してドア上下方向の上方側に若干離れた位置で隣接した場合が含まれる他、下縁接着部の上端に対して接した状態でドア上下方向の上方側に隣接した場合も含まれる。
【００５４】
なお、上記実施形態及び上述の複数の変形例は、適宜組み合わされて実施可能である。
【符号の説明】
【００５５】
１２    バックドア開口部（車体開口部）
１４    バックドア（開閉体）
１６    ドアインナパネル
１６Ｃ  第一傾斜部
１６Ｄ  第二傾斜部
２０    ドアアウタパネル
２４    水抜き部
２４Ａ  水抜き孔
２６Ａ  下縁接着部
３０    突出部
３４    突出部
【図１】
0005708423.tif 000002
【図２】
0005708423.tif 000003
【図３】
0005708423.tif 000004
【図４】
0005708423.tif 000005
【図５】
0005708423.tif 000006